(57)【要約】  対象とする使用者の胴部分のための覆いを含む、衣服用フード。胴部分は、平らにされたフードを収納するための間隙空間を画定する少なくとも２つのパネルを含む後部を含む。本衣服に組み付けられたフードは、ドレープ性シート材料の１つ以上のパネルを含む。フードは、顔領域１１を画定する１つ以上の周縁を有する本体を有する。フードは下向きに延在する後部および側部を有する頂部を有する。フードは、（１）被った状態に対して、フードの長さまたは幅を短くしないように、または（２）平らにされた状態の材料と実質的に重なるように、平らにすることができる。パネルは、間隙空間内にフードを受け入れるための開口を含み、この間隙空間は、平らにされた状態のフードを受け入れて収納するように構成されている。
2021515113.tif 000002
【特許請求の範囲】
【請求項１】
対象の使用者の頭を覆うように構成されたドレープ性シート材料の１つ以上のパネルを備え、対象の使用者の顔の所定の部分を露出するように構成された顔領域を画定する１つ以上の周縁を備える本体を有し、下向きに延在する後部および側部を有する頂部を有し、
一対のフラップを含み、一方のフラップが、前記側部のうちの一方の前縁から延在し、他方のフラップが、他方の側部の前縁から延在する、フードであって、
前記頂部、前記側部、および前記後部が平らな本体部分に対して平らにされ、前記フードの任意の重なっている部分が、前記平らな本体部分の３０％より大きく覆わないことを特徴とするフード。
【請求項２】
請求項１に記載のフードであって、前記フードが平らにされた状態のとき、前記フラップが、前記フードの前記平らな本体部分と重なることなく平らになることができることを特徴とするフード。
【請求項３】
請求項１に記載のフードであって、平らにされた状態では、前記フードの顔部分が、平らな本体部分と重なり、前記重なっている部分が、前記顔開口の周囲と部分的に同心の単一の連続した折り目によって平らな本体部分と重なる前記顔開口の周囲によって画定され、前記重なっている部分が、前記周囲と、前記顔開口と部分的に同心である前記連続する折り目との間を走るいかなる折り目またはひだもなく前記本体部分に対して平坦な状態で載ることを特徴とするフード。
【請求項４】
請求項３に記載のフードであって、前記顔部分の前記重なりが、前記平らな本体部分の面積の３０％より大きく覆わないことを特徴とするフード。
【請求項５】
請求項１に記載のフードであって、前記フラップが調節可能に互いに結合し、前記対象の使用者の首の前部を覆うように構成されることを特徴とするフード。
【請求項６】
請求項１に記載のフードあって、前記フードが、前記頂部から後方に延在する縫い合わされたダーツを含み、前記縫い合わされたダーツが、前記フードの前記後部の下部周縁まで延在する長手方向の縫目になり、前記フードが、前記縫い合わされたダーツになるダーツを有して構成された、平らなドレープ性シート材料から構成されることを特徴とするフード。
【請求項７】
対象の使用者の胴部用の覆いであって、前記胴部が、対象の使用者の背中を覆うように構成された少なくとも２つの鉛直方向を向く平行な後パネルを備え、前記パネル間に間隙空間を画定する後部を含む、覆いと、
対象の使用者の頭を覆うように構成されたドレープ性シート材料の１つ以上のパネルを備えるフードであって、対象の使用者の顔の所定の部分を露出するように構成された顔領域を画定する１つ以上の周縁を備える本体を有し、下向きに延在する後部および側部を有する頂部を有し、（１）意図される被った状態に対して、前記フードの長さまたは幅を短くしないように、または（２）平らにされた状態の材料と実質的に重なるように、折り畳んだり、巻いたり、しわくちゃにしないで平らにすることができるフードとを備え、
前記フードが、前記フードの後部周縁に沿って、前記胴部後パネルのうちの１つに固定され、前記後パネルが、前記間隙空間内に前記フードを受け入れるための開口を含み、前記間隙空間が、平らにされた状態の前記フードを受け入れて収納するように構成されていることを特徴とする衣服。
【請求項８】
請求項７に記載の衣服であって、平らにされた状態では、前記フードの顔部分が、平らな本体部分と重なり、前記重なっている部分が、前記顔開口の周囲と部分的に同心の単一の連続した折り目によって平らな本体部分と重なる前記顔開口の周囲によって画定され、前記重なっている部分が、前記周囲と、前記連続する折り目との間を走るいかなる折り目またはひだもなく前記本体部分に対して平坦な状態で載ることを特徴とする衣服。
【請求項９】
請求項８に記載の衣服であって、前記顔部分の前記重なりが、前記平らな本体部分の面積の３０％より大きく覆わないことを特徴とする衣服。
【請求項１０】
請求項９に記載の衣服であって、前記フードが、調節可能に互いに結合するように構成された、前記フードの前部から延在するフラップを含むことを特徴とする衣服。
【請求項１１】
請求項１０に記載の衣服であって、前記フラップが、前記対象の使用者の首の前部を覆うように構成されていることを特徴とする衣服。
【請求項１２】
請求項１１に記載の衣服であって、前記フードが平らにされた状態のとき、前記フラップが、前記フードの本体と重なることなく平らになることができることを特徴とする衣服。
【請求項１３】
請求項１１に記載の衣服であって、間隙空間が、前記衣服の後部の、体に面するパネルを備えるパネルによって部分的に画定されることを特徴とする衣服。
【請求項１４】
請求項１１に記載の衣服であって、前記開口が、前記衣服の襟と前記衣服の本体との接合部に沿って配置された開閉可能なスロットを備えることを特徴とする衣服。
【請求項１５】
請求項１に記載のフードであって、前記フードが、前記頂部から後方に延在する縫い合わされたダーツを含み、前記縫い合わされたダーツが、前記フードの前記後部の下部周縁まで延在する長手方向の縫目になり、前記フードが、前記縫い合わされたダーツになるダーツを有して構成された、平らなシート材料から構成されることを特徴とするフード。
【請求項１６】
フィレット付きフードを画定する、または画定可能なパターンを提供するステップであって、前記パターンがダーツ部分を含み、前記パターンが、接合されると、ドレープ性シート材料がフードの３次元形態をとることを可能にする縫目線を含み、前記フードが、対象の使用者の顔の所定の部分を露出するように構成された顔領域を画定する１つ以上の周縁を備える本体を有し、前記フードが、下向きに延在する後部および側部を有する頂部を有し、前記フードが、一対のフラップを含み、一方のフラップが、前記側部のうちの一方の前縁から延在し、他方のフラップが、他方の側部の前縁から延在し、前記頂部、前記側部、および前記後部を平らな本体部分に対して平らにすることができ、前記フードの任意の重なっている部分が、前記平らな本体部分の３０％より大きく覆わない、ステップと、
平らなドレープ性シート材料の１つ以上のパネルを提供するステップと、
前記フィレット付きのフードを生産するために前記パターンを使用するステップと、
前記３次元フードを生産するために前記フィレット付きのフードの前記縫目線を接合するステップと
を含むことを特徴とする、フードを作る方法。
【請求項１７】
請求項１６に記載の方法であって、前記生産したフードを衣服に取り付けるステップをさらに含むことを特徴とする方法。
【請求項１８】
請求項１７に記載の方法であって、前記フードが、前記衣服の間隙空間またはポケットへの開口に取り付けられ、前記間隙空間またはポケットが、平らにされた状態の前記フードを受け入れて収納するように構成されていることを特徴とする方法。
【請求項１９】
請求項１８に記載の方法であって、前記開口が、前記衣服の襟と前記本体との接合部に配置された開閉可能なスロットを備えることを特徴とする方法。
【請求項２０】
請求項１９に記載の方法であって、前記スロットが少なくとも５ｃｍの幅であり、前記間隙空間またはポケットが少なくとも１０ｃｍの長さで、少なくとも１０ｃｍの幅であることを特徴とする方法。
【発明の詳細な説明】
【技術分野】
【０００１】
本発明の主題は一般に、ジャケット、パーカ、ウインドブレーカー、シェル、セーター、ジャンプスーツなどの衣料品または衣服用のフードを対象とする（本明細書では、「衣料品」と「衣服」は同意語であり、置き換え可能な用語である）。
【背景技術】
【０００２】
使用者の上半身を覆う室外着はしばしば、対象の使用者の頭の頂部、後部、および側部を覆うためのフードを含む。室外着用のフードは様々な形態のものが知られている。従来のフード付き衣服では、フードは衣服に永久的にまたは取外し可能に取り付けられていることがある。取外し可能なフードは、ジッパー、面ファスナー、スナップ、ボタン、磁石のようなファスナーシステムによって衣服に取り付けられている。フードの下部周囲部分は、衣服に配置された別の部分、典型的には、衣服の襟または上肩領域と係合するシステムの一部を有する。
【０００３】
衣服はまた、フード収納システムも含むことがある。いくつかの衣服では、フードは、衣服の襟に形成されたポケットまたはチャネル内に折り畳まれ、巻かれ、または他の態様で詰め込まれて収納されることがある。他の衣服では、ポケットは、衣服の上部後パネルに付随して、フードをその中に詰め込むことができる。このような知られている手法の例としては、米国特許第６６６５８７８号および米国特許第２１５０１７１号が挙げられる。
【０００４】
従来の収納システムでは、比較的小さな収納空間に入れるために、フードを折り畳み、巻いて、詰め込んで圧縮し、その領域での衣服のかさが大きくなる。この付け加わったかたまりは使用者にとっては不快になることがある。これはまた、衣服の美観も下げる。
【先行技術文献】
【特許文献】
【０００５】
【特許文献１】米国特許第２１２９４５４号明細書
【特許文献２】米国特許第２１５０１７１号明細書
【特許文献３】米国特許第２６８２０５６号明細書
【特許文献４】米国特許第５７９４２６３号明細書
【特許文献５】米国特許第６６６５８７８号明細書
【発明の概要】
【発明が解決しようとする課題】
【０００６】
したがって、かたまりが加わらないで、衣服の快適さおよび／または美観を保つフードおよび収納システムを改善する必要がある。様々なフードの形状ならびに容易な収納および展開を可能にするフードおよび収納システムに対する必要性もある。
【課題を解決するための手段】
【０００７】
本発明の主題は前述および他の必要性に対処することである。以下の実施形態は、本発明の主題がこのような必要性に対処可能にする方法の代表的なものである。
【０００８】
本発明の主題は一般に、（１）取り付けられた、または取外し可能なフードと、（２）フード用の収納システムとを有する衣服を対象とする。このフードおよび衣服は、衣服の美観を損なうことなくフードを平らでかさばらないように収納することができるように構成される。いくつかの実施形態では、本発明の主題が、特別のポケットまたは襟を必要とせず、衣服の構造を簡単にすることが有利である。
【０００９】
１つの可能な実施形態では、本発明の主題は、衣服用の新規の平らにすることができるフードを対象にする。組み立てられると、本衣服は、対象とする使用者の胴部分のための覆いを含む。胴部分は、平らにされたフードを収納するための間隙空間を画定する少なくとも２つのパネル（布）を含む後部を含む。本衣服に組み付けられたフードは、対象の使用者の頭を覆うように構成されたドレープ性シート材料の１つ以上のパネルを含む。フードは、対象の使用者の顔の所定の部分を露出するように構成された顔領域を画定する１つ以上の周縁を有する本体を有する。フードは下向きに延在する後部および側部を有する頂部を有する。フードは、（１）意図される被った状態に対して、フードの長さまたは幅を短くしないように、または（２）平らにされた状態の材料と実質的に重なるように、折り畳んだり、巻いたり、折り目を付けたり、しわくちゃになどしないで平らにすることができる。フードは、フードの後部周縁に沿って胴部に固定され、胴部パネルの少なくとも１つに固定される。パネルは、間隙空間内にフードを受け入れるための開口を含み、この間隙空間は、平らにされた状態のフードを受け入れて収納するように構成されている。
【００１０】
フードは、結合可能で首覆いとして働く一対のフラップを含んでもよい。一方のフラップは、側部のうちの一方の前縁から延在し、他方のフラップは、他方の側部の前縁から延在する。フラップは、フードの本体と重なることなく平らな状態でフード収納部に収納することができる。
【００１１】
いくつかの実施形態では、本発明の主題は、対象の使用者の頭を覆うように構成されたドレープ性シート材料の１つ以上のパネルを含むフードを対象とし、本フードは、対象の使用者の顔の所定の部分を露出するように構成された顔領域を画定する１つ以上の周縁を備える本体を有し、本フードは、下向きに延在する後部および側部を有する頂部を有し、本フードは、一対のフラップを含み、一方のフラップは、側部のうちの一方の前縁から延在し、他方のフラップは、他方の側部の前縁から延在し、頂部、側部、および後部が平らな本体部分に対して平らになり、フードの任意の重なっている部分が、平らな本体部分の３０％より大きく覆わない。
【００１２】
前述および他の実施形態では、平らにされた状態では、フードの顔部分は、平らな本体部分と重なることができ、重なっている部分は、顔開口の周囲と部分的に同心の単一の連続した折り目によって平らな本体部分と重なる顔開口の周囲によって画定され、重なっている部分は、周囲と、顔開口と部分的に同心である連続する折り目との間を走るいかなる折り目またはひだもなく本体部分に対して平坦な状態で載っている。
【００１３】
前述および他の実施形態では、顔部分の重なりが、平らな本体部分の面積の３０％より大きく覆わないようにすることができる。
【００１４】
前述および他の実施形態では、フラップは調節可能に互いに結合するように構成することができる。
【００１５】
前述および他の実施形態では、フードは、頂部から後方に延在する縫い合わされたダーツを含むことができ、この縫い合わされたダーツは、フードの後部の下部周縁に延在する長手方向の縫目になり、フードは、縫い合わされたダーツになるダーツを有して構成された、平らなドレープ性シート材料から構成される。
【００１６】
別の可能な実施形態では、本発明の主題は衣服を対象とし、本衣服は、対象の使用者の胴部のための覆いであって、胴部が、対象の使用者の背中を覆うように構成された少なくとも２つの鉛直方向を向く平行な後パネルを備え、パネル間に間隙空間を画定する後部を含む、覆いと、対象の使用者の頭を覆うように構成されたドレープ性シート材料の１つ以上のパネルを備えるフードであって、対象の使用者の顔の所定の部分を露出するように構成された顔領域を画定する１つ以上の周縁を備える本体を有し、下向きに延在する後部および側部を有する頂部を有し、（１）意図される被った状態に対して、フードの長さまたは幅を短くしないように、または（２）平らな状態の材料と実質的に重なるように、折り畳んだり、巻いたり、しわくちゃにしないで平らにすることができるフードとを備え、フードは、フードの後部周縁に沿って、胴部後パネルのうちの１つに固定され、後パネルは、間隙空間内にフードを受け入れるための開口を含み、間隙空間は、平らにされた状態のフードを受け入れて収納するように構成されている。
【００１７】
前述および他の実施形態では、フードは、調節可能に互いに結合するように構成され、対象の使用者の首の前部を覆うように構成された、フードの前部から延在するフラップを含んでもよい。
【００１８】
前述および他の実施形態では、間隙空間は、衣服の後部の、体に面するパネルを備えるパネルによって部分的に画定されてもよい。
【００１９】
前述および他の実施形態では、開口は、衣服の襟と衣服の本体との接合部に沿って配置された開閉可能なスロットより構成されてもよい。
【００２０】
別の可能な実施形態では、本発明の主題は、フードを作る方法を対象とし、本方法は、フィレット付きフードを画定する、または画定可能なパターンを提供するステップであって、パターンがダーツ部分を含み、パターンが、接合されると、ドレープ性シート材料がフードの３次元形態をとることを可能にする縫目線を含み、フードが、対象の使用者の顔の所定の部分を露出するように構成された顔領域を画定する１つ以上の周縁を備える本体を有し、フードが、下向きに延在する後部および側部を有する頂部を有し、フードが、一対のフラップを含み、一方のフラップが、側部のうちの一方の前縁から延在し、他方のフラップが、他方の側部の前縁から延在し、頂部、側部、および後部を平らな本体部分に対して平らにすることができ、フードの任意の重なっている部分が、平らな本体部分の３０％より大きく覆わない、ステップと、平らなドレープ性シート材料の１つ以上のパネルを提供するステップと、フィレット付きのフードを生産するためにパターンを使用するステップと、３次元フードを生産するためにフィレット付きのフードの縫目線を接合するステップとを含む。
【００２１】
前述および他の実施形態では、本方法は、生産したフードを衣服に取り付けるステップを含んでもよい。
【００２２】
前述の方法および他の実施形態では、フードは、衣服の間隙空間またはポケットへの開口に取り付けられてもよく、間隙空間またはポケットは、平らにされた状態のフードを受け入れて収納するように構成されている。
【００２３】
前述の方法および他の実施形態では、開口は、衣服の襟と本体との接合部に配置された開閉可能なスロットであってもよい。
【００２４】
前述および他の実施形態では、スロットは少なくとも５ｃｍの幅であってもよい。
【００２５】
前述および他の実施形態では、平らな状態のフードおよび間隙空間は、少なくとも１０ｃｍの長さおよび／または少なくとも１０ｃｍの幅であってもよい。
【００２６】
他の実施形態は、この概要に引用して援用する、下記の発明を実施するための形態、添付図、および当初記載された特許請求の範囲、または補正された特許請求の範囲において考察される。前述の内容は、本発明の主題の実施形態および特徴を網羅的に列挙することを意図したものではない。当業者であれば、図面とともに以下の発明を実施するための形態から他の実施形態および特徴を理解することができる。
【００２７】
以下の図１〜図６の図面は、先行技術を示していると注記されない限り、本発明の主題による可能な１つの実施形態を示している。提示する図面は、例示および説明のためのものであり、必ずしも原寸に比例したものではない。
【図面の簡単な説明】
【００２８】
【図１】衣服に取り付けられたフードの前面図（衣服の上部の部分図）である。
【図２】図１のフードの左側面斜視図である。
【図３】図１のフードの右側面斜視図である。
【図４】衣服のパネル間の収納位置にある、図３のフードの右側面斜視図である。
【図５】図１のフード用の組立前のパターンの平面図である。
【図６】衣服の襟、および衣服の収納空間にアクセスするための開閉可能なスロットの単独の前面図（衣服の上部の部分図）である。
【発明を実施するための形態】
【００２９】
本発明の主題による代表的な実施形態が図１〜図６に示され、本明細書で説明されており、ここでは、同じまたは概ね類似の特徴部は共通の参照符号を共有している。
【００３０】
本発明の主題は一般に、取り付けられた、または取外し可能なフード１０とフード用の収納空間とを有する衣服１を対象とする。
【００３１】
特定の実施形態では、フードは、衣類に顕著なかたまりを加えることのない平らにされた状態で収納するように構成される。フードは、パターンの縁が接合された後にフードが平らな状態になることができるように構成された新規のパターンから形成される。収納領域は、フードを、折り畳んだり、巻いたり、詰め込んだり、またはその他かたまりを作って形状を小さくすることなく、平らな状態で収納することを十分可能にする。収納領域は、衣服の中の選ばれたパネル（布）間、例えば、外側に面するパネル３と体に面するパネル４との間の間隙空間２とすることができる。したがって、特別な収納ポケットまたは襟を必要とせず、衣服の構造を簡単にする。
【００３２】
一般に、本明細書では、フードは、対象の使用者の頭領域を、顔領域を露出したまま覆うように構成されたドレープ性シート材料から作られた頭覆いである。フードの本体は、頭の頂部、側部、および後部を全体または一部を覆うための複数の解剖学的領域を含む。露出される顔領域の量は、用途に応じて変わってもよい。例えば、より穏やかな環境を対象とする衣服の場合、顔開口１１において、顔のより多くを露出してもよい。露出する顔領域は変わってもよい。例えば、着用者の額、頬、顎、および首のほとんどを露出してもよい。厳しい冬の気候を対象とする衣服の場合、フードは目と鼻だけなど、最小限の顔領域を露出してもよい。当然、フードは、全範囲の調節ができるように、調節可能な顔開口、例えば、開口の周囲の引き紐を有することができる。
【００３３】
フードは、首／肩領域の後ろでジャケットまたは他の衣服に取り付けられ、それによって、首の少なくとも後部を覆うことができる。いくつかの実施形態では、フードは、首の側面の周りを包むことができる。いくつかの実施形態では、フードは、首を取り囲むようにさらに延在することができる。一般に、このような実施形態は、取り囲むために首の前部で結合可能な接続可能なフラップの形態である。フラップは、面ファスナー、ジッパー、スナップ、ボタン、または磁石などの知られている閉鎖具を含むことができる。あるいは、首覆いは、首を完全に取り囲むが、首の周りに合うように分離するフラップを有さない、フードと一体化した目出し帽式覆いであってもよい。その代わり、これは、使用者の頭から被って首を覆って下ろされる。
【００３４】
例示的なフード材料は、ナイロン、ポリエステル、レーヨン、アクリル、エラスタン、木綿、羊毛、亜麻布、革、絹、竹、麻、および混合物、積層物、または順次接合材料としてのこれらの組合せのような天然および合成織物を含む。フードは、防水および通気性膜、例えば、延伸ＰＴＦＥ、ウィッキング層、断熱層、または充填材料、機能性コーティング、例えば、撥水剤または防汚剤、難燃剤、および反射コーティングなどの機能性シート材料およびコーティングを含んでもよい。
【００３５】
フードは、シート材料の１つ以上のプライから作られてもよい。プライは、１つ以上の材料の単一の一体型プライであってもよい。または、全体または一部を重ねてプライの一体積層体を形成してもよい。例えば、フード全体を積層体としてもよく、あるいは、選ばれた領域が、同じまたは異なるシート材料の１つ以上のプライの積層体とすることができる。一例として、フードは、ナイロンまたはポリエステルなどの耐久性のある材料の外層と、防水通気性膜の内層または中間層とを有することができる。内層または中間層はまた、湿気ウィッキング層または断熱層とすることもできる。フードは、頭頂領域だけをより断熱にするように多数のプライを有し、側部には選択的に冷却することができるように単一プライとすることができる。
【００３６】
材料のプライに加えて、フードは、天然または合成ダウンまたはバット断熱材などの断熱充填材料を保持するためのバッフルまたはチャンバを有して構成することができる。
【００３７】
図１〜図５を見ると、フード１０は、複数の解剖学的部分から構成することができる頭覆いである。これらの部分は、頭の解剖学的領域に相当する。これらは、頭を覆うように構成されたシート材料の単一構造体に画定可能であってもよく、または一緒に接合されて頭覆いを形成する２枚以上の別々のシートのパネルに画定可能であってもよい。
【００３８】
頂部１２は、額と頭冠部との間の頭の頂部を覆う。したがって、頂部は、使用者の頭に対して概ね水平方向の向きである。いくつかの側部は、頂部から下方に延在して、顔の選ばれた領域を除いて、使用者の頭を覆う覆いを完成する。頂部は、額および／またはこめかみのすぐ上まで延在する周縁を有してもよい、または、使用者の眉毛および／または目じりまで延在してもよい。
【００３９】
後部１４は使用者の頭の後部（概ね、頭冠部と首すじ）を覆う。後部の下縁は、衣服に永久的または取外し可能に取り付けられている。したがって、下縁は、使用者の首を覆って肩領域および頭の後ろ側まで延在する。
【００４０】
側部１６、１８は、頂部１２から下方に、後部１４から横方向に延在し、使用者の頭の後部から顔領域１１までの領域を覆う。これらの部分はまた、使用者の首を覆って延在してもよい。これらの部分はまた顔領域に部分的に延在して、使用者の顎、顎先、口、および／または鼻を覆う。側部の下方の範囲は、使用者の耳の上方で終端になるものから、使用者の耳をちょうど覆うもの、下顎の輪郭のすぐ下まで覆うもの、首の一部または全部を覆うものまで様々なものがあり得る。
【００４１】
取り外されたフードは、フードの周囲を画定する複数の縁を有する。後部１４は、衣服に固定される、または衣服と一体化する周縁部２０を含む。側部１６、１８は、衣服に取り付けられておらず、衣服の襟の内側に差し込まれる、または襟をくるみ込むことができる概ね水平方向の周縁部２２、２４を有する。これらの縁部は、縁部２０と連続していてもよい。側部はまた、頂部１２の前側の概ね水平方向の周縁３０と組み合わさって露出した顔領域１１の一部を画定する概ね鉛直方向の周縁部２６、２８を有する。この場合も、これらの縁部２６、２８、３０は連続した縁を形成してもよい。引き紐チャネルおよび引き紐（図示せず）は、これらの縁に付随して、顔を調節可能に覆う顔領域を提供する。
【００４２】
図５は、平らな状態で収納することができるフード１０を生産するためのパターン１１０を示す。このパターンは、上記のように、フードの組立前の形状を画定する材料の１つ以上のプライの平面状のシートとすることができる。この形状は、フード材料に、例えばインクで印刷して物理的に示すことができる、または、裁断機を制御するためのデジタル的に記憶された画像、あるいは裁断機を案内するためのレーザまたは光の画像で事実上与えることができる。
【００４３】
このパターンはいくぶん矩形の形状を有する。長辺ＡとＤは、辺Ｄの中央に形成された窪んだ「ダーツ」３２、および部分Ａの両端部から延在する任意選択のフラップまたは伸長部Ｅ、Ｆを除いて、概ね平行である。
【００４４】
縫製技術において知られているように、ダーツは、ダーツの側部を接合することによって、平坦な布を体の輪郭に合わせることができる、平坦な布の窪みである。ダーツは典型的には少なくとも１つの頂点を有する。図５のダーツは頂端３３を有し、対向する開放部に対して外向きにテーパが付いている。
【００４５】
図５をさらに見ると、短辺ＢとＣは概ね平行で、辺ＡおよびＤと相互接続している。ダーツ３２は、線Ａと線Ｄとの間の空間内のほぼ中間まで入り込んだ頂点３３を有する概ね三角形またはパイのような形状を有する。組立の際、三角形のダーツ構造の対向する脚部３６、３８は互いに接合されて縫目を形成する。脚部が、側部Ｄの対向する部分４０、４２に変わっていくときに、脚部のわずかな湾曲があってもよい。接合はこれらの対向する部分に沿って続く。ダーツおよび対向する部分を接合することによって、平坦なパターンが、３次元的に使用者の頭に合うことができる縫目のある形状に変換される。前述の脚部の曲率によって、頭に合う形状が容易に生成される。また、図５で分かるように、線Ａは、容易にこのような形態にするために浅い凸状の曲率を有してもよい。
【００４６】
このパターンは、鏡像関係になる左右半分を定める中心線においてダーツ３２を有し、線Ｄの各半分がそれ自体に折り曲げられ、次いで一緒に接合されて縫目を生成する、フィレット付き構造と考えることができる。縫製、接着接合、熱融着または溶接、ジッパーまたは面ファスナーなどの機械的締結を含む、知られているまたは今後発見されるいくつもの接合技術が用いられてもよい。
【００４７】
このダーツによって、頭の頂部（頂部１２）から頭の後部（後部１４）を下がり、その周りを走る、丸みを帯びた輪郭形状が可能になる。当業者であれば理解するように、ダーツの大きさおよび形状は、他の所望の丸みを帯びた形状を与えるように変えることができる。
【００４８】
前記から、本発明の主題によるフードは、被ったときに頭、首、および顔領域のある範囲を露出したままにすることができることは理解することができる。
【００４９】
図１〜図４は、組立後のフード材料のパターンを示す。パターンの線Ｄは、線Ｄの中央にあるダーツの頂点と位置が合う頂部１２の中央あたりから、水平方向の周囲部２０の中央まで走る。線Ａは、露出されるフードの顔領域１１の一部または全部を画定する水平および鉛直周囲部２６、２８、および３０を形成する。任意選択のフラップ２７、２９の線ＥおよびＦは、露出される顔領域をさらに画定することができ、使用者の首を覆う覆いも提供することができる。フラップは、フラップの縁部を接合することができる閉鎖具を有することができる。フラップは、接合されると、使用者の首を覆い、その上縁は露出される顔領域の下部を画定する。フラップは、首または顔の所望の領域を覆うことができるように、大きさを変えて構成することができる。例えば、フラップ２７、２９は、使用者の口および下頬を覆うことができるようにより幅広に作ることができる。
【００５０】
図２〜図３は、被った状態のフードを示す。図４は、収納領域の中、または収納領域の外での状態とすることができる、平らな状態のフードを示す。本明細書では、「平らな状態」（および類似の言及）は、物体を形成する布または織物に通常付随するしわを無視すると、平らにするため、および寸法を小さくするために物体の表面上に配置された顕著なひだまたは折り目がない平面形状を意味する。上記のフィレット付きパターンによって、寸法を小さくするためにフード材料を折り畳んだり、巻いたり、しわくちゃにしないで平らにすることができるフードになる。平らな状態において、本発明のフードの長さおよび幅は小さくされていない。もしそのようにすると、必然的に材料のかさが大きくなる。本発明の主題によれば、フードの長さおよび幅は同じままか、または大きくなることがある。図４で分かるように、平らにしたフードの長さは、部分１２の中央から、または中央あたりから、後部１４の下部の縁２０の高さまで測ると、被った状態（図２〜図３）と同じ、または実質的に同じである。同様に、露出される顔領域は、図２〜図３に示す例示的な被った形態と比較して同じか、またはより広い。しかし、平らにするとき側部は外向きに広がるので、フードはいくぶんより幅広くなることがある。
【００５１】
平らにしたフードは、フードの前頂部に小部分４４を有することができ、この場合、顔の開口を画定する線Ａは、頂部１２、後部１４、および側部１６、１８を含むフードの平らな本体の上にある。部分４４の頂部は、使用者の額領域を覆って下向きに延在することができるフードの部分である。図示のように、重なっている部分４４は、縁２２、２４に近づくにつれて下向きにテーパを付けてもよい。このように重ねると、少なくとも開口の頂部において、顔開口の周囲に概ね平行な単一の連続した折り目４６が生じ、折り目は、部分２２、２４に近づくにつれて内向きにテーパが付く。言い換えれば、この折り目は、顔開口の周囲と部分的に同心である。折り目４６によって、重なっている領域４４はフードの平らな本体部分に対して平坦な状態で載ることができる。この周囲の折り目のほかには、フードを平らにするために必要とする他の折り目またはひだはない。
【００５２】
従来のフードでは、フードを平らにすると、顔開口の周囲に対して垂直方向または横断方向に走る折り目またはひだができて、かさが増えることがある。平らにするためには、前頂部の周縁が顔開口領域内に十分入って、平らな本体部分の上に重なり、その領域をかさ上げして、実質的に覆って、フードの長さを短くする必要があり得る。本発明の主題では、この重なりは小さく、その結果、フードの長さまたは顔開口の範囲は実質的に変化しない。さらに、この重なりは、フードを折り畳んだり、巻いたり、しわくちゃにしないで達成される。言い換えれば、平らにした状態では、重なるフードは、平らな本体部分と実質的に重なり、それを覆う。本明細書では、「実質的に」は、平らな本体部分の面積の３０％より小さな面積が、上記のように、顔開口の周囲に平行な折り目を有することがある、重なっている部分によって覆われることを意味する。いくつかの実施形態では、平らな本体部分の２５％より小さい面積が、他のフード材料によって重ねられる。いくつかの実施形態では、平らな本体部分の２０％より小さい面積が、他のフード材料によって重ねられる。いくつかの実施形態では、平らな本体部分の１５％より小さい面積が、他のフード材料によって重ねられる。いくつかの実施形態では、平らな本体部分の１０％より小さい面積が、他のフード材料によって重ねられる。
【００５３】
図４を見ると、パネルまたは層３と４との間の間隙空間２は、フードを平らな状態に保持するのに十分な面積を有するという条件であれば、寸法が変わり得る。側部フラップ２７、２９が、フードの平らな本体部分と重なることなく平らに収納されることは図４で分かる。平らにしたフードをこの間隙空間に容易に配置するために、フードを平らな状態でこの空間内に詰め込むことができるように、この空間に通じる開口スロット４６を、対象とする使用者の手や指が入るのに十分広く作ることができる。適切なスロットは少なくとも５ｃｍの長さとすることができる。
【００５４】
フードの寸法は、対象とする使用者のサイズに応じて変えてもよい。一般に、フードは、平らにした状態で任意の側部延在部ＦおよびＥを除いて、少なくとも１０ｃｍの長さで、（最も広いところで）少なくとも１０ｃｍの幅とすることができる。したがって、この間隙空間は、平らにされたフードが少なくともこの空間に受け入れられる幅および長さの寸法を有するべきである、すなわち、この空間は、少なくとも１０ｃｍの長さと少なくとも１０ｃｍの幅の収納能力を提供することができる。この間隙空間は、衣服のパネル間、すなわち、衣服の後胴部分に対応する層またはパネル間の空間であるが、この空間はまた、平らにされた状態のフードを保持するのに十分な長さまたは幅を有する、任意のこのような層またはパネルに形成されたポケットであってもよい。
【００５５】
１つの可能な実施形態では、周縁部２０は、襟５と衣服の本体との内側（体に面する）接合部において衣服に固定されてもよい。間隙空間内への開口４６は、ジッパーまたは他の選択的に開閉可能な閉鎖具を含んでもよい。内側接合線によって、衣服の美観を損ねないようにスロットを隠すことができる。とりわけ、襟の外側に取り付けられ、襟の中に巻かれて収納されるフードとは対照的に、内側の固定位置は、ジャケットの本体の間隙空間の収納と組み合わさって、フードを展開したときに、襟の外側を覆わず、襟の美観を保ち、フードを収納したときに、襟がかさばらないようにする。
【００５６】
衣服の本体の間隙空間へのスロットが衣服の内面にあってもよいが、それが、外面に、例えば、ジャケットの後外側パネルの肩または襟領域にすることができない理由はない。
【００５７】
図示はしていないが、フードは、顔領域の上を延在して日よけにするためのつばを含んでもよい。
【００５８】
当業者であれば理解するように、図示した実施形態は、本発明の主題の多くの可能な実施形態のうちの１つにすぎず、限定することを意図したものではない。
用語と範囲
【００５９】
当業者であれば、本発明の主題の本質を説明するために記載し図示した部品および行為の詳細、材料、および配置において多くの変更および変形が可能であること、ならびに、このような変更および変形が本明細書に含まれる教示および請求項の趣旨および範囲から逸脱しないことを認識するであろう。
【００６０】
任意の特定の例について上で説明した原理は、任意の１つ以上の他の例と関連して説明した原理と組み合わせることができる。したがって、この詳細な説明は、限定する意味で解釈されるべきではなく、当業者であれば、本開示の再検討に続いて、本明細書で説明された様々な概念を使用して考案することができる多種多様なシステムを理解するであろう。さらに、当業者であれば、本明細書で開示される例示的な実施形態を、開示される原理から逸脱することなく、様々な構成に適合することができるということを理解するであろう。
【００６１】
開示される実施形態の前述の説明は、いかなる当業者でも、開示される革新的なものを作製または使用することができるように提供される。これらの実施形態に対する様々な変更は当業者にとっては明らかであり、本明細書で規定する包括的な原理は、本開示の趣旨または範囲から逸脱することなく、他の実施形態に適用することができる。したがって、特許請求される発明は、本明細書で示す実施形態に限定することを意図するものではなく、特許請求の範囲の文言に矛盾することない全ての範囲に与えられるべきである。ここで、冠詞「１つの（ａ）」または「１つの（ａｎ）」を使用することなど、単数形での要素への言及は、特記なければ、「１つであり１つのみ」を意味することを意図しておらず、むしろ、「１つ以上の」を意味することを意図する。
【００６２】
本明細書において、用語「部分（ｐａｒｔ）」、「部分（ｐｏｒｔｉｏｎ）」、「部分（ｓｅｇｍｅｎｔ）」、「領域（ｒｅｇｉｏｎ）」、「領域（ｚｏｎｅ）」、「部分（ｓｅｃｔｉｏｎ）」および類似の用語を使用する場合、および使用するとき、これらの用語は概ね同意語であり、文脈において特記なければ、より大きな構造物の中の分離要素または副構成部品であることを意味することも、そうでないことを意味することもあり、または、より大きな一体物の構造物の非分離部分であることを意味することも、そうでないことを意味することもある。
【００６３】
当業者に知られている、または当業者に後で知られることとなる、本開示の全体を通して説明される様々な実施形態の要素の全ての構造的な均等物および機能的な均等物は、本明細書で説明され特許請求される特徴によって包含されることが意図されている。さらに、本明細書で開示されるいかなることも、そのような開示が特許請求の範囲に明示的に記載されているかどうかにかかわらず、公に供することを意図していない。要素が「のための手段（ｍｅａｎｓ  ｆｏｒ）」または「のためのステップ（ｓｔｅｐ  ｆｏｒ）」という語句を使用して明示的に記載されていなければ、いかなる請求項要素も、米国特許法の下での「ミーンズプラスファンクション」請求項として解釈されるべきではない。
【００６４】
名前を挙げた各発明者および出願人は、下に添付する特許請求の範囲および趣旨に含まれる全ての請求項に対する権利を含む、本明細書に開示する主題に対する全ての権利を保有する。
【図１】
2021515113.tif 000003
【図２】
2021515113.tif 000004
【図３】
2021515113.tif 000005
【図４】
2021515113.tif 000006
【図５】
2021515113.tif 000007
【図６】
2021515113.tif 000008
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
対象の使用者の頭を覆うように構成されたドレープ性シート材料の１つ以上のパネルを備え、対象の使用者の顔の所定の部分を露出するように構成された顔領域を画定する１つ以上の連続した周縁を備える本体を有し、下向きに延在する後部および２つの側部を有する頂部を有するフードであって、前記フードを形成するパターンの縁を接合する縫い合わされたダーツが、使用者の頭の冠部に相当する、前記頂部の中央あたりの頂点から、前記後部を後方に下り、それによって、前記フードの前記頂部から前記フードの前記後部を下がり、その周りを走る、丸みを帯びた輪郭形状を形成し、前記縫い合わされたダーツが、前記顔領域まで前記頂部の前方には延在せず、
前記フードが、一対のフラップを含み、一方のフラップが、前記側部のうちの一方の前縁から延在し、他方のフラップが、他方の側部の前縁から延在し、
平らにされた状態で、使用者の背中に対して反転した形態で着けると、前記頂部、前記側部、および前記後部が平らな本体部分に対して平らになり、平面状の前記頂部の一部分が、前記平らな本体部分の一部分と重なり、前記頂部の任意の重なっている部分が、前記平らな本体部分の３０％より大きく覆わないことを特徴とする、フード。
【請求項２】
請求項１に記載のフードであって、前記フードが平らにされた状態のとき、前記フラップが、前記フードの前記平らな本体部分と重なることなく平らになることができることを特徴とするフード。
【請求項３】
請求項１に記載のフードであって、平らにされた状態では、前記頂部の前記重なっている部分が、前記顔領域の周囲と部分的に同心の単一の湾曲し連続した折り目によって前記平らな本体部分と重なる前記顔領域の周囲によって画定されていることを特徴とする、フード。
【請求項４】
請求項３に記載のフードであって、前記頂部の前記重なっている部分が、前記平らな本体部分の面積の３０％より大きく覆わないことを特徴とするフード。
【請求項５】
請求項１に記載のフードであって、前記フラップが調節可能に互いに結合し、前記対象の使用者の首の前部を覆うように構成されることを特徴とするフード。
【請求項６】
請求項１に記載のフードあって、前記フードが、前記頂部から後方に延在する縫い合わされたダーツを含み、前記縫い合わされたダーツが、前記フードの前記後部の下部周縁まで延在する長手方向の縫目になり、前記フードが、前記縫い合わされたダーツになるダーツを有して構成された、平らなドレープ性シート材料から構成されることを特徴とするフード。
【請求項７】
対象の使用者の少なくとも胴の部分を覆うように構成された胴部を備える覆いであって、前記胴部が、対象の使用者の背中を覆うように構成された少なくとも２つの鉛直方向を向く平行な後パネルを備え、前記パネル間に間隙空間を画定する後部を含み、前記平行な後パネルの第１のパネルが体に面するパネルを備え、前記平行な後パネルの第２のパネルが外側に面するパネルを備える、覆いと、
対象の使用者の頭を覆うように構成されたドレープ性シート材料の１つ以上のパネルを備えるフードであって、対象の使用者の顔の所定の部分を露出するように構成された顔領域を画定する１つ以上の連続した周縁を備える本体を有し、下向きに延在する後部および側部を有する頂部を有し、前記後部の頂部と前記顔領域を画定する前記周縁との間に配置された単一の湾曲した折り目によって、前記頂部の一部分が平らな本体部分の一部分と重なり、前記頂部の前記重なっている部分と、前記重ねられた本体部分の両方が、意図される被った状態に対して、前記フードの長さまたは幅を短くしないように、平らな状態であるように平らにすることができるフードとを備え、
前記フードが、前記フードの後部周縁に沿って、外側に面する前記パネルに固定され、鉛直方向を向く平行な前記後パネルが、前記間隙空間内に前記フードを受け入れるための、前記後部の体に面する側からアクセス可能な開口を画定し、前記間隙空間が、平らにされた状態の前記フードを受け入れて収納するように構成されていることを特徴とする衣服。
【請求項８】
請求項７に記載の衣服であって、平らにされた状態では、前記頂部の前記重なっている部分が、前記顔領域の周囲と部分的に同心の単一の湾曲し連続した折り目によって前記平らな本体部分と重なっている前記顔領域の周囲によって画定されることを特徴とする衣服。
【請求項９】
請求項８に記載の衣服であって、前記頂部の前記重なっている部分が、前記平らな本体部分の面積の３０％より大きく覆わないことを特徴とする衣服。
【請求項１０】
請求項９に記載の衣服であって、前記フードが、調節可能に互いに結合するように構成された、前記フードの前部から延在するフラップを含むことを特徴とする衣服。
【請求項１１】
請求項１０に記載の衣服であって、前記フラップが、前記対象の使用者の首の前部を覆うように構成されていることを特徴とする衣服。
【請求項１２】
請求項１１に記載の衣服であって、前記フードが平らにされた状態のとき、前記フラップが、前記フードの本体と重なることなく平らになることができることを特徴とする衣服。
【請求項１３】
請求項１１に記載の衣服であって、前記間隙空間が、前記衣服の後部の、体に面するパネルを備える前記パネルによって部分的に画定されることを特徴とする衣服。
【請求項１４】
請求項１１に記載の衣服であって、前記開口が、前記衣服の襟と前記衣服の本体との接合部に沿って配置された開閉可能なスロットを備えることを特徴とする衣服。
【請求項１５】
請求項７に記載のフードであって、前記フードが、前記頂部から後方に延在する縫い合わされたダーツを含み、前記縫い合わされたダーツが、前記フードの前記後部の下部周縁まで延在する長手方向の縫目になり、前記フードが、前記縫い合わされたダーツになるダーツを有して構成された、平らなシート材料から構成されることを特徴とするフード。
【請求項１６】
フィレット付きフードを画定する、または画定可能なパターンを提供するステップであって、前記パターンがダーツ部分を含み、前記パターンが、接合されると、ドレープ性シート材料がフードの３次元形態をとることを可能にする縫目線を含み、前記フードが、対象の使用者の顔の所定の部分を露出するように構成された顔領域を画定する１つ以上の周縁を備える本体を有し、前記フードが、下向きに延在する後部および側部を有する頂部を有し、前記フードが、一対のフラップを含み、一方のフラップが、前記側部のうちの一方の前縁から延在し、他方のフラップが、他方の側部の前縁から延在し、前記頂部、前記側部、および前記後部を平らな本体部分に対して平らにすることができ、前記フードの任意の重なっている部分が、前記平らな本体部分の３０％より大きく覆わない、ステップと、
平らなドレープ性シート材料の１つ以上のパネルを提供するステップと、
前記フィレット付きのフードを生産するために前記パターンを使用するステップと、
前記３次元フードを生産するために前記フィレット付きのフードの前記縫目線を接合するステップと
を含むことを特徴とする、フードを作る方法。
【請求項１７】
請求項１６に記載の方法であって、前記生産したフードを衣服に取り付けるステップをさらに含むことを特徴とする方法。
【請求項１８】
請求項１７に記載の方法であって、前記フードが、前記衣服の間隙空間またはポケットへの開口に取り付けられ、前記間隙空間またはポケットが、平らにされた状態の前記フードを受け入れて収納するように構成されていることを特徴とする方法。
【請求項１９】
請求項１８に記載の方法であって、前記開口が、前記衣服の襟と前記本体との接合部に配置された開閉可能なスロットを備えることを特徴とする方法。
【請求項２０】
請求項１９に記載の方法であって、前記スロットが少なくとも５ｃｍの幅であり、前記間隙空間またはポケットが少なくとも１０ｃｍの長さで、少なくとも１０ｃｍの幅であることを特徴とする方法。
【請求項２１】
請求項７に記載の衣服であって、前記後部の体に面する側からアクセス可能な前記開口の位置が、前記フードが展開された形態にあるとき、前記フードが襟の外側に面する側を覆わないように前記襟に対して構成されていることを特徴とする衣服。
【請求項２２】
対象の使用者の頭を覆うように構成されたドレープ性シート材料の１つ以上のパネルを備え、対象の使用者の顔の所定の部分を露出するように構成された顔領域を画定する１つ以上の連続した周縁を備える本体を有し、下向きに延在する後部および２つの側部を有する頂部を有するフードであって、いくつかの部分が、縫い合わされたダーツにおいて接合され、縫い合わされたダーツは、前記頂部の中央あたりの頂点から後方に延在して前記後部を下り、それによって、前記フードの前記頂部から前記フードの前記後部を下がり、その周りを走る、丸みを帯びた輪郭形状を形成し、前記縫い合わされたダーツが、前記顔領域まで前記頂部の前方に延在せず、
平らにされた状態で、使用者の背中に対して反転した形態で着けると、前記頂部、前記側部、および前記後部が平らな本体部分に対して平らになり、前記頂部の一部分が、前記平らな本体部分と重なり、前記頂部の前記重なっている部分と、前記重ねられた本体部分の両方が平らな状態であり、前記頂部の任意の重なっている部分が、前記平らな本体部分の３０％より大きく覆わないことを特徴とするフード。
【請求項２３】
対象の使用者の頭を覆うように構成されたドレープ性シート材料の１つ以上のパネルを備え、対象の使用者の顔の所定の部分を露出するように構成された顔領域を画定する１つ以上の連続した周縁を備える本体を有し、下向きに延在する後部および側部を有する頂部を有するフードであって、前記後部の頂部と前記顔領域を画定する前記周縁との間に配置された単一の湾曲した折り目によって、前記頂部の一部分が前記本体部分の一部分と重なり、前記頂部の前記重なっている部分と、前記重ねられた本体部分の両方が、前記フードを使用者の背中に対して反転した形態で着けたとき、意図される被った状態に対して、前記フードの長さまたは幅を短くしないように、平らな状態であるように平らにすることができることを特徴とするフード。
【国際調査報告】
2021515113.tif 000009